(57)【要約】【課題】  如何なる色温度の環境下にあっても、ユーザが報知の有無や報知内容を正確に認識できるようにした報知ランプ装置を提供する。【解決手段】  光源は、発光の色温度が可変である。光源の近傍に備えられ、光源の周囲の色温度を検出する色温度センサを有している。光源駆動回路は、光源を色温度センサによって検出された周囲の色温度と異なる色温度で発光させる。【選択図】  図２
2010157360.tif 000002
【特許請求の範囲】
【請求項１】
電子機器に搭載され、電子機器の動作に関する情報をユーザに報知する報知ランプ装置であって、光源と、報知すべき情報に応じて前記光源を発光させる光源駆動回路とを有する報知ランプ装置において、
前記光源は、発光の色温度が可変であり、
前記光源の近傍に備えられ、該光源の周囲の色温度を検出する色温度センサをさらに有し、
前記光源駆動回路は、前記光源を前記色温度センサによって検出された周囲の色温度と異なる色温度で発光させることを特徴とする報知ランプ装置。
【請求項２】
前記光源駆動回路は、前記光源を報知すべき情報の種類毎に異なる色温度で発光させるものであり、これにより、複数の情報をユーザに報知する請求項１に記載の報知ランプ装置。
【請求項３】
前記光源は、それぞれ異なる発光色の複数の光源エレメントによって構成され、
前記光源駆動回路は、前記複数の光源エレメントの合成光が周囲の色温度と異なる色温度となるように、該複数の光源エレメントそれぞれを発光させる請求項１または２に記載の報知ランプ装置。
【請求項４】
請求項１乃至３のいずれか１項に記載の報知ランプ装置を有することを特徴とする電子機器。
【請求項５】
電子機器の動作に関する情報を電子機器に搭載された光源の発光によってユーザに報知する報知方法において、
前記光源は、発光の色温度が可変であり、
前記光源の周囲の色温度を検出する工程と、
前記光源を周囲の色温度と異なる色温度で発光させる工程とを有することを特徴とする報知方法。
【発明の詳細な説明】
【技術分野】
【０００１】
本発明は、携帯電話機等の電子機器に搭載され、着信等の電子機器の動作に関する情報を光源の発光によってユーザに報知する報知ランプ装置に関する。
【背景技術】
【０００２】
この種の報知ランプ装置は、近年、その光源として、ＬＥＤ（Light Emitting Diode）あるいはＥＬ(Electric Luminescence)デバイス等のソリッドステートなデバイスが採用されている。ここで、報知ランプ装置は、報知すべき情報に応じて予め設定された色温度、あるいは、ユーザが任意に設定した色温度で光源が発光するように構成されている。
【０００３】
ところで、報知ランプ装置が搭載される電子機器は、その使用環境が屋外である場合には、時刻や天候によって周囲の色温度は異なり、また、屋内である場合には、照明の種類も様々であるため周囲の色温度はやはり異なる。さらに、携帯電話機等の携帯型電子機器は、その使用環境が屋内外どちらもあり得る。
【０００４】
この種の報知ランプ装置に関する技術は、例えば、特許文献１に開示されている。また、特許文献２〜３には、カメラ内蔵の携帯電話機に搭載されるＬＥＤ光源を用いた照明装置に関する技術が開示されている。
【０００５】
【特許文献１】特開２００５−１２９４０３号公報
【特許文献２】特開２００６−１３９６５５号公報
【特許文献３】特開平１１−０８５３９７号公報
【発明の開示】
【発明が解決しようとする課題】
【０００６】
前述したように、報知ランプ装置は設定された色温度で光源が発光するように構成されている一方で、この報知ランプ装置が搭載される電子機器は様々な色温度の環境下に位置し得る。このため、周囲の色温度によっては、ユーザは、光源の発光の有無を認知し難いか、あるいは、発光の有無は認識できたとしても、色温度までは認識できず、報知の有無に気が付かなかったり、報知内容を誤る可能性があった。
【０００７】
それ故、本発明の課題は、如何なる色温度の環境下にあっても、ユーザが報知の有無や報知内容を正確に認識できるようにした報知ランプ装置を提供することである。
【０００８】
本発明の他の課題は、そのような報知ランプ装置を有する電子機器を提供することである。
【課題を解決するための手段】
【０００９】
本発明によれば、電子機器に搭載され、電子機器の動作に関する情報をユーザに報知する報知ランプ装置であって、光源と、報知すべき情報に応じて前記光源を発光させる光源駆動回路とを有する報知ランプ装置において、前記光源は、発光の色温度が可変であり、前記光源の近傍に備えられ、該光源の周囲の色温度を検出する色温度センサをさらに有し、前記光源駆動回路は、前記光源を前記色温度センサによって検出された周囲の色温度と異なる色温度で発光させることを特徴とする報知ランプ装置が得られる。
【００１０】
前記光源駆動回路は、前記光源を報知すべき情報の種類毎に異なる色温度で発光させるものであり、これにより、複数の情報をユーザに報知するものであってもよい。
【００１１】
前記光源は、それぞれ異なる発光色の複数の光源エレメントによって構成され、前記光源駆動回路は、前記複数の光源エレメントの合成光が周囲の色温度と異なる色温度となるように、該複数の光源エレメントそれぞれを発光させるものであってもよい。
【００１２】
本発明によれば、前記報知ランプ装置を有することを特徴とする電子機器が得られる。
【００１３】
また、本発明によれば、電子機器の動作に関する情報を電子機器に搭載された光源の発光によってユーザに報知する報知方法において、前記光源は、発光の色温度が可変であり、前記光源の周囲の色温度を検出する工程と、前記光源を周囲の色温度と異なる色温度で発光させる工程とを有することを特徴とする報知方法が得られる。
【発明の効果】
【００１４】
本発明による報知ランプ装置は、電子機器が如何なる色温度の環境下にあっても、ユーザが報知の有無や報知内容を正確に認識できるように情報を報知することができる。
【発明を実施するための最良の形態】
【００１５】
本発明による報知ランプ装置は、携帯電話機等の電子機器に搭載され、電子機器の動作に関する着信等の情報をユーザに報知する報知ランプ装置であって、光源と、光源を発光させる光源駆動回路とを有している。
【００１６】
特に、本報知ランプ装置において、光源は、発光の色温度が可変である。また、本報知ランプ装置は、光源の近傍に備えられ、光源の周囲の色温度を検出する色温度センサをさらに有している。光源駆動回路は、光源を色温度センサによって検出された周囲の色温度と異なる色温度で発光させる。
【００１７】
このような構成により、電子機器が如何なる色温度の環境下にあっても、ユーザが報知の有無や報知内容を正確に認識できるように情報を報知することができる。
【実施例】
【００１８】
以下、図面を参照して、本発明による報知ランプ装置のより具体的な実施例を詳細に説明する。
【００１９】
［実施例１］
図１を参照すると、本発明の実施例１による報知ランプ装置は、折り畳み型の携帯電話機１００に搭載されている。尚、図１において、携帯電話機１００は、筐体１０１が開かれた状態の外側面を示しており、筐体１０１の図示されない内側面には、液晶ディスプレイ、キーボード、マイク、スピーカ等が備えられている。
【００２０】
図１および図２を参照すると、報知ランプ装置１０は、携帯電話機１００の動作に関する情報として、メールの着信をユーザに報知するものであって、携帯電話機１００の筐体１０１に備えられた光源としての着信ＬＥＤ１２と、携帯電話機１００の図示しないメイン制御回路に接続され、メイン制御回路から得られるメールの着信を表す情報に応じて着信ＬＥＤ１２を発光させる光源駆動回路としてのＬＥＤ駆動回路１１とを有している。
【００２１】
着信ＬＥＤ１２は、発光の色温度が可変である。
【００２２】
本報知ランプ装置１０は、着信ＬＥＤ１２の近傍、即ち、携帯電話機１００の筐体１０１の着信ＬＥＤ１２と同一面上に備えられ、着信ＬＥＤ１２の周囲の色温度を検出する色温度センサ１３をさらに有している。
【００２３】
ＬＥＤ駆動回路１１は、着信ＬＥＤ１２を色温度センサ１３によって検出された周囲の色温度と異なる色温度で発光させる。
【００２４】
着信ＬＥＤ１２は、それぞれ異なる発光色の複数の光源エレメントとしての赤色光源１２ｒ、緑色光源１２ｇ、青色光源１２ｂによって構成されている。ＬＥＤ駆動回路１１は、赤色光源１２ｒ、緑色光源１２ｇ、青色光源１２ｂの合成光が、周囲の色温度対し、最低温度差以上最大温度差以内だけ異なる色温度となるように、赤色光源１２ｒ、緑色光源１２ｇ、青色光源１２ｂそれぞれを発光させる。尚、最小温度差は、周囲の色温度からユーザが区別がつき易い最小の温度差である。最大温度差は、情報内容に応じて予め設定されている光源の色温度（例えば、メール着信は赤色など）としてユーザが認識できる最大の温度差である。最小温度差および最大温度差は、ＬＥＤ駆動回路１１の図示しない記憶手段に記憶されている。
【００２５】
尚、ＬＥＤ駆動回路１１は、光源を、報知すべき情報の種類毎に異なる色温度で発光させるものであってもよい。この場合、１個の光源で複数の情報（例えば、メール着信、留守電メッセージ有り、充電中等）をユーザに報知することができる。
【００２６】
次に、本実施例による報知ランプ装置１０の動作について説明する。
【００２７】
携帯電話機１００は、所定時間毎にメールサーバにアクセスし、メール着信の有無をチェックする。メール着信があった場合、携帯電話機１００のメイン制御回路は、その旨の情報を報知ランプ装置１０のＬＥＤ駆動回路１１に出力する。
【００２８】
メイン制御回路からメール着信情報を得たＬＥＤ駆動回路１１は、色温度センサ１３によって着信ＬＥＤ１２の周囲の色温度を検出する。
【００２９】
次いで、ＬＥＤ駆動回路１１は、赤色光源１２ｒ、緑色光源１２ｇ、青色光源１２ｂの合成光が、色温度センサ１３によって検出した周囲の色温度に対し、最小温度差以上最大温度差以内だけ異なる色温度となるように、赤色光源１２ｒ、緑色光源１２ｇ、青色光源１２ｂへの駆動出力を調整して発光させる。
【００３０】
以上のようにして、周囲と異なる色温度で着信ＬＥＤ１２が見易く発光し、メールの着信がユーザに報知された。
【００３１】
［実施例２］
本発明の実施例２による報知ランプ装置は、光源を構成する光源エレメントの数が実施例１と異なっている。このため、実施例２における実施例１と同一または同様の部分については、同一符号を付すと共に、詳細な説明を省略する。
【００３２】
図３を参照すると、本発明の実施例２による報知ランプ装置１０’は、図示しない携帯電話機の動作に関する情報として、メールの着信をユーザに報知するものであって、携帯電話機の筐体に備えられた光源としての着信ＬＥＤ１２’と、携帯電話機の図示しないメイン制御回路に接続され、メイン制御回路から得られるメールの着信を表す情報に応じて着信ＬＥＤ１２’を発光させる光源駆動回路としてのＬＥＤ駆動回路１１と、信ＬＥＤ１２’の近傍に備えられ、着信ＬＥＤ１２’の周囲の色温度を検出する色温度センサ１３とを有している。着信ＬＥＤ１２’は、発光の色温度が可変である。
【００３３】
着信ＬＥＤ１２’は、それぞれ異なる発光色の複数の光源エレメントとしての赤色光源１２ｒ、青色光源１２ｂによって構成されている。ＬＥＤ駆動回路１１は、赤色光源１２ｒ、青色光源１２ｂの合成光が、周囲の色温度対し、最低温度差以上最大温度差以内だけ異なる色温度となるように、赤色光源１２ｒ、青色光源１２ｂそれぞれを発光させる。
【００３４】
次に、本実施例による報知ランプ装置１０’の動作について説明する。
【００３５】
携帯電話機は、所定時間毎にメールサーバにアクセスし、メール着信の有無をチェックする。メール着信があった場合、携帯電話機のメイン制御回路は、その旨の情報を報知ランプ装置１０’のＬＥＤ駆動回路１１に出力する。
【００３６】
メイン制御回路からメール着信情報を得たＬＥＤ駆動回路１１は、色温度センサ１３によって着信ＬＥＤ１２’の周囲の色温度を検出する。
【００３７】
次いで、ＬＥＤ駆動回路１１は、赤色光源１２ｒ、青色光源１２ｂの合成光が、色温度センサ１３によって検出した周囲の色温度に対し、最小温度差以上最大温度差以内だけ異なる色温度となるように、赤色光源１２ｒ、青色光源１２ｂへの駆動出力を調整して発光させる。
【００３８】
以上のようにして、周囲と異なる色温度で着信ＬＥＤ１２’が見易く発光し、メールの着信がユーザに報知された。
【００３９】
［実施例３］
本発明の実施例３による報知ランプ装置は、光源を構成する光源エレメントの数や発光色が実施例１と異なっている。このため、実施例３における実施例１と同一または同様の部分については、同一符号を付すと共に、詳細な説明を省略する。
【００４０】
図４を参照すると、本発明の実施例３による報知ランプ装置１０”は、図示しない携帯電話機の動作に関する情報として、メールの着信をユーザに報知するものであって、携帯電話機の筐体に備えられた光源としての着信ＬＥＤ１２”と、携帯電話機の図示しないメイン制御回路に接続され、メイン制御回路から得られるメールの着信を表す情報に応じて着信ＬＥＤ１２’を発光させる光源駆動回路としてのＬＥＤ駆動回路１１と、信ＬＥＤ１２”の近傍に備えられ、着信ＬＥＤ１２”の周囲の色温度を検出する色温度センサ１３とを有している。着信ＬＥＤ１２”は、発光の色温度が可変である。
【００４１】
着信ＬＥＤ１２”は、それぞれ異なる発光色の複数の光源エレメントとしての赤色光源１２ｒ、黄色光源１２ｙによって構成されている。ＬＥＤ駆動回路１１は、赤色光源１２ｒ、黄色光源１２ｙの合成光が、周囲の色温度対し、最低温度差以上最大温度差以内だけ異なる色温度となるように、赤色光源１２ｒ、黄色光源１２ｙそれぞれを発光させる。
【００４２】
次に、本実施例による報知ランプ装置１０”の動作について説明する。
【００４３】
携帯電話機は、所定時間毎にメールサーバにアクセスし、メール着信の有無をチェックする。メール着信があった場合、携帯電話機のメイン制御回路は、その旨の情報を報知ランプ装置１０”のＬＥＤ駆動回路１１に出力する。
【００４４】
メイン制御回路からメール着信情報を得たＬＥＤ駆動回路１１は、色温度センサ１３によって着信ＬＥＤ１２”の周囲の色温度を検出する。
【００４５】
次いで、ＬＥＤ駆動回路１１は、赤色光源１２ｒ、黄色光源１２ｙの合成光が、色温度センサ１３によって検出した周囲の色温度に対し、最小温度差以上最大温度差以内だけ異なる色温度となるように、赤色光源１２ｒ、黄色光源１２ｙへの駆動出力を調整して発光させる。
【００４６】
以上のようにして、周囲と異なる色温度で着信ＬＥＤ１２”が見易く発光し、メールの着信がユーザに報知された。
【産業上の利用可能性】
【００４７】
以上説明した実施例に限定されることなく、本発明は、当該特許請求の範囲に記載された技術範囲内であれば、種々の変形が可能であることは云うまでもない。例えば、本発明は、携帯電話機に限らず、ＰＤＡ、パーソナルコンピュータ、デジタルカメラ、ムービーカメラ、ゲーム機、テレビ機器等の様々な電子機器に適用可能である。
【図面の簡単な説明】
【００４８】
【図１】本発明による報知ランプ装置が適用される携帯電話機を示す斜視図である。
【図２】本発明の実施例１による報知ランプ装置を示すブロック図である。
【図３】本発明の実施例２による報知ランプ装置を示すブロック図である。
【図４】本発明の実施例３による報知ランプ装置を示すブロック図である。
【符号の説明】
【００４９】
１０、１０’、１０”  報知ランプ装置
１１    ＬＥＤ駆動回路
１２、１２’、１２”  着信ＬＥＤ
１３    色温度センサ
１２ｂ  青色光源
１２ｇ  緑色光源
１２ｒ  赤色光源
１２ｙ  黄色光源
１００    携帯電話機
１０１    筐体
【図１】
2010157360.tif 000003
【図２】
2010157360.tif 000004
【図３】
2010157360.tif 000005
【図４】
2010157360.tif 000006